(57)【要約】  車両電力交換のためのシステム及び方法が、車両と関連付けられた電力セルを有するコンテナを交換するためのシステムと、車両電力交換のために適応された適切な車両の両方を含む。有利には、システムは、少なくとも１つの電力交換電力ストリップと、電力ストリップと関連付けられた充電済み電力セルを有する少なくとも１つのコンテナと、車両と通信して電力交換を実現するために電力交換ストリップと関連付けられた無線通信とを含む。電力交換に有利な車両は、電力セルを有する取外し式コンテナと、電力交換（即ち、コンテナ交換）の際の車両の必須機能を制御するためのコンピュータプロセッサと、消耗電力セルを有するコンテナを配置し充電済み電力セルを有する交換コンテナを車両に挿入することを可能にする機構とを有する。
2018524235.tif 000002
【特許請求の範囲】
【請求項１】
車両電力交換システムであって、
少なくとも１つの電力交換ストリップと、
前記少なくとも１つの電力交換ストリップと関連付けられた少なくとも１つの充電済み電力セルと、
前記少なくとも１つの電力交換ストリップと作動的に関連付けられ、前記少なくとも１つの電力交換ストリップと電力交換要求車両の間で通信するための無線通信装置と、
前記少なくとも１つの電力交換ストリップ及び前記無線通信装置と関連付けられて、前記電力交換要求車両上の機能を制御するためのプロセッサとを含むシステム。
【請求項２】
前記少なくとも１つの電力交換ストリップが、電力交換要求車両から消耗電力セルを受け取るための第１のステーションと、前記消耗電力パックが取り外された後で前記車両に組み込むための充電済み交換用電力セルを有する第２のステーションとを備える、請求項１に記載のシステム。
【請求項３】
前記プロセッサが、前記第１のステーションと前記第２のステーション間の車両の動きを制御する、請求項２に記載のシステム。
【請求項４】
前記車両が、前記消耗電力セルによって供給される電力に加えて、前記消耗電力パックが前記車両から取り外された後で前記第１のステーションから前記２のステーションへの前記車両の動きに電力供給する補助電源を有する、請求項２に記載のシステム。
【請求項５】
前記充電済み電力セルが、化学電池パックである、請求項１に記載のシステム。
【請求項６】
前記充電済み電力セルが、燃料電池パックである、請求項１に記載のシステム。
【請求項７】
前記電力セルが、前記電力交換ストリップに沿って配置されたコンテナ内に配置された、請求項１に記載のシステム。
【請求項８】
前記コンテナが、更に、冷却器を含む、請求項７に記載のシステム。
【請求項９】
電力交換のための車載車両システムであって、
車両の動きに電力供給するための電力セルを備えた取外し式コンテナと、
消耗電力セルを有する前記コンテナの放出、消耗電力セルを有する前記コンテナが取り外された後の前記車両の動き、及び充電済み電力セルを有する交換コンテナの前記車両への挿入を含む、電力交換の際の前記車両の必須機能を制御するためのコンピュータプロセッサと、
前記コンピュータプロセッサと作動的に関連付けられ、消耗電力セルを有するコンテナを放出するための投下機構と、
前記コンピュータプロセッサと作動的に関連付けられ、充電済み電力セルを有する交換コンテナを前記車両に挿入するためのリフト機構とを備えた車載車両システム。
【請求項１０】
前記投下機構と前記ピックアップ機構のための電力を提供する補助電源を更に含む、請求項９に記載の車載車両システム。
【請求項１１】
前記補助電源が、消耗電力セルを有する前記コンテナが前記車両から取り外された後で前記車両の動きに電力供給する、請求項１０に記載の車載車両システム。
【請求項１２】
前記コンテナが、更に、冷却器を含む、請求項９に記載の車載車両システム。
【請求項１３】
車両電力交換方法であって、
電力交換のための車両を電力交換ストリップに沿った第１の位置で受け取るステップと、
前記車両と前記電力交換ストリップの間で無線通信接続を確立して電力交換の際の車両機能を制御するステップと、
前記無線通信接続によって前記車両のコンピュータプロセッサに指示を通信して、消耗電力セルを前記車両から電力交換ストリップに沿った第１の位置で放出するステップと、
前記車両を移動させて前記電力交換ストリップに沿った第２の位置に移動させるステップと、
前記電力ストリップの前記第２の位置と関連付けられた充電済み電力セルを前記車両に挿入するステップとを含む方法。
【請求項１４】
前記車両を移動させて前記電力交換ストリップに沿った第２の位置に移動させるステップが、前記取り外された電力セルを補う前記車両に搭載された補助電力を使用して、無線通信接続によって前記車両に指示して前記電力交換ステップに沿った第２の位置まで移動させるステップを含む、請求項１３に記載の方法。
【請求項１５】
前記車両のコンピュータプロセッサに、前記無線通信接続によって、前記電力交換ストリップに沿った第１の位置で前記車両から消耗電力セルを放出する指示を通信して、前記車両が前記消耗電力セルを放出するようにする、請求項１３に記載の方法。
【請求項１６】
前記電力ストリップの第２の位置と関連付けられた充電済み電力セルを前記車両に挿入するステップが、リフト機構を使用して前記充電電力セルと係合するステップを含む、請求項１３に記載の方法。
【請求項１７】
前記リフト機構が、前記車両に搭載された、請求項１６に記載の方法。
【請求項１８】
前記電力セルが、前記コンテナ内に配置され、前記消耗電力セルを放出するステップが、前記消耗電力セルを有する前記コンテナを放出するステップを含む、請求項１３に記載の方法。
【請求項１９】
前記コンテナが、更に、冷却器を含む、請求項１８に記載の方法。
【発明の詳細な説明】
【技術分野】
【０００１】
関連出願の相互参照
本出願は、２０１５年４月２２日に出願された米国仮出願第６２／１５０，９３７号及び２０１５年５月２６日に出願された米国仮特許出願第６２／１６６，３３９号の利益を請求し、これらの両出願は、参照により本明細書に組み込まれる。
【０００２】
本発明は、バッテリなどの１つの電源を別の電源と置き換える（即ち、交換する）ことを含むがこれに限定されない、電源を交換するための方法及びシステムに関する。有利には、これは、電気自動車の電源の交換を含む。
【背景技術】
【０００３】
代替燃料自動車は、次第に一般的になっている。そのような車両は、ガソリンやディーゼル油などの従来の石油ではなく代替燃料源を使用する。幾つかの代替燃料源には、天然ガス、バッテリ／化学電源、燃料電池などが挙げられるが、これらに限定されない。従来車両と同様に、車両によって消費された燃料源を補給しなければならない。その結果、代替燃料自動車の燃料源を補給するための様々な補給、再充電、再生又は他の手段が開発された。
【０００４】
バッテリによって電力供給される代替燃料自動車は、多くの場合、車両に搭載されたバッテリを充電する適切な充電レセプタクルに車両を差し込むことによって充電される。これに対するひとつの最近の代替は、消耗した後の車両上のバッテリパックを満充電されたバッテリと交換することである。しかしながら、この分野で代替電動車両バッテリ交換を達成するための現在の技術は、バッテリ交換の際に車両を収容する設備の点で大きいインフラストラクチャと、一連の消耗バッテリを充電された交換用バッテリと交換するのに必要な機構とを必要とする。従って、そのようなシステムは、バッテリが消耗するたびに代替電動車両に補給する手段として実時間バッテリ交換を可能にする段階で経済的に実現できずかつ／又は開発されない。
【発明の概要】
【課題を解決するための手段】
【０００５】
この技術は、以下では自律型直線交換機構（Autonomous Linear Exchange）（ＡＬＥ）として知られ、コンテナに収容された電源を有する車両の主電源を取り外し、受け取り、充電し、配置し、交換するための独特な方法及びシステムを含み、コンテナは、補助電力供給交換機構（Auxiliary Powered Exchange）を装備した車両の電源（バッテリバンク、燃料電池又は他の格納電源デバイス）を含む。これは、電気（例えば、バッテリ並びに燃料電池を利用するものを使用する）によって動作する装置を含む。より具体的には、この技術は、コンテナ又は他の交換式ユニット内に配置された電動車両の主駆動バッテリを交換するために使用されうる。しかしながら、この技術は、電気自動車を含む車両によって使用される様々なタイプの電源を含む任意の電源を交換するための使用に適応されうる。本発明は、前記電源、バッテリ又は燃料電池をきわめて高い効率及び単純さで受け取り、充電し、構成し、配置するように設計された据付型機器と、自動車設計に組み込むように意図され車両が据付型機器と相互作用することを可能にする構成要素及び専用モジュール式コンテナの両方に関する。
【０００６】
１つの有利な形態では、適切な車両は、本開示で「コンテナ」と呼ばれる自律したバッテリバンク、バッテリパック、電力パック、セル（燃料電池などを含む）（集合的に１つ以上のセル又は別個電力ユニットを含みうる「電力セル」と一般に呼ばれる）を有する。また、このコンテナは、有利な実施形態では、オイル冷却器を含み、また、コンテナは、コンテナが主電力を車両に提供する自律型で取り外し可能な電源であることを可能にする他の要素を含みうる。このコンテナは、電力が消耗したときにこのシステムを使用して交換される。
【０００７】
更に、車両の主電源であるコンテナに加えて、車両は、コンテナ交換の際に支援する補助電源も有すると有利である。好ましくは、電力セル（コンテナ内）と補助電源は両方とも、車両を適切な充電コンセント／電源に差し込むことによって再充電されうる（メーカが望む場合はオプションとして）。
【０００８】
更に別の有利な形態では、車両内に交換コンテナを持ち上げる際にコンテナの電力セル内の電力を使用して電力が供給されうる。したがって、交換コンテナ内の電力セルは、車両の補助電源の使用を増強及び／又は置換する。
【０００９】
本発明は、その一形態では、車両電力交換システムに関する。このシステムは、少なくとも１つの電力交換ストリップと、電力セルを有し少なくとも１つの電力交換ストリップと関連付けられた少なくとも１つの充電済みコンテナとを有する。無線通信装置が、少なくとも１つの電力交換ストリップと電力交換要求車両との間で通信するために、少なくとも１つの電力交換ストリップと作動的に関連付けられる。電力交換要求車両の機能を制御するために、プロセッサが、少なくとも１つの電力交換ストリップ及び無線通信装置と関連付けられる。
【００１０】
１つの更に他の形態では、少なくとも１つの電力交換ストリップが、電力交換要求車両から電力セルを有する消耗コンテナを受け取るための第１のステーションを有し、第２のステーションが、消耗コンテナが取り外された後で車両内にコンテナを取り付けるための充電済み電力セルを有する交換コンテナを有する。１つの更に有利な形態では、プロセッサは、第１のステーションと第２のステーションの間で車両の動きを制御する。
【００１１】
代替の更に他の形態では、車両は、交換されるコンテナの電力セル内の電力に加えて、補助電源を有し、この補助電源は、消耗電力パックが車両から取り外された後で、第１のステーションから第２のステーションへの車両の動きに電力供給する。
【００１２】
代替形態では、車両により、電力セルは、化学電池パック又は燃料電池パックである。
【００１３】
本発明は、その別の形態では、電力交換のための車載システムに関する。車載システムは、基本的に車両の動きに電力供給するための電力セルを有する取外し式コンテナを有する。コンピュータプロセッサは、車両と関連付けられ、消耗コンテナの放出を含む電力交換の際の車両の必須機能、消耗電力パックが取り外された後の車両の動き、及び充電済み電力セルを有する交換コンテナの車両への挿入を制御する。消耗コンテナを放出するための投下機構が、コンピュータプロセッサと関連付けられる。充電済み電力セルを有する交換コンテナを車両に挿入するためのリフト機構が、コンピュータプロセッサと作動的に関連付けられる。
【００１４】
１つの更に他の形態では、投下機構とリフト機構に電力供給する補助電源が車両に提供される。１つの更に他の形態では、補助電源は、消耗電力セルを有する取外し式コンテナが車両から取り外された後で第１の充電ステーションから、充電済み電力セルを有する交換コンテナが配置された第２のステーションへの車両の動きに電力供給する。
【００１５】
本発明は、その別の形態では、車両電力交換方法に関する。この方法は、電力交換のための車両を電力交換ストリップに沿った第１の位置に受け取り、車両と電力交換ストリップとの間で無線通信接続を確立して電力交換の際に車両を制御することを含む。方法は、更に、無線通信接続を介して車両のコンピュータプロセッサに指示を通信して、消耗電力セルを有するコンテナを、電力ストリップに沿った第１の位置で車両から放出することを含む。次に、車両は、電力交換ストリップに沿った第２の位置に移動される。最後に、充電済み電力セルを有する交換コンテナが、車両に挿入され、交換コンテナが、電力交換ストリップの第２の位置で関連付けられる。この方法は、更に他の形態では、車両に搭載され取り外された電力セルの電力を補う補助電源を使用して、車両を電力交換ストリップに沿った第２の位置に移動させることを含む。
【００１６】
１つの更に他の形態では、通信接続によって車両のコンピュータプロセッサに指示を通信することによって、電力交換ストリップに沿った第１の位置で車両から消耗コンテナが放出され、その結果、車両が消耗コンテナを放出する。
【００１７】
この方法は、更に他の形態では、電力ストリップの第２の位置と関連付けられた充電済み電力セルを有するコンテナを、リフト機構を使用して充電コンテナと係合することによって車両に挿入することを含む。１つの更に他の有利な形態では、リフト機構は、車両に搭載される。
【００１８】
使用において、適合車両が、充電ストリップの入口の所定範囲に近づき、車両は、自動的に停止し、通常運転制御が一時停止される。この時点で、充電ストリップからの無線通信が、車両の搭載コンピュータに、充電ストリップに沿ったどの端子に一時停止し相互作用するかの指示を提供する。指示を受け取った後、車両の自律制御システムは、人間対話を必要とせずに、車両と連動し、指示された空充電端子の上の正確な位置まで車両を駆動する。車両は、次に、その搭載補助電源に切り替わり、シャシロックを外し、搭載機構を使用して消耗電力セルを有するコンテナを空端子に降ろす。次に、コンテナを放出した後、車両は、ストリップとバンク列の上をもう一度通過するために搭載機構を引っ込める。次に、車両は、補助電源下で移動し、充電ストリップからの無線及び光学合図によって、自律式に、提供された指示によって指定された最大充電コンテナまで導かれる。次に、補助電源を使用して、搭載機構をもう一度下降させ、充電ストリップ上に横たわる充電済み電力セルを有する交換コンテナ内にロックする。次に、搭載機構は、コンテナを車両のシャシ内に持ち上げて所定の位置にしっかりと固定する。次に、車両は、主電力に切り替わり、自律制御下で、充電ストリップの出口に進む。車両が、ストリップの最後の端を通過すると、自動的に停止し、自律制御を一時停止し、通常制御を回復させる。車両は、車両のコンテナ内の充電済み電力セルによって通常制御下で充電トリップから進み、同時に消耗電力セルを有するコンテナを充電のためにストリップ上に残すことができる。
【００１９】
次に本発明の好ましい実施形態が、例として添付図面に関して説明される。
【図面の簡単な説明】
【００２０】
【図１】本発明による、ストリップ上に横たわる２つのコンテナを有する自律型直線交換機構（ＡＬＥ）充電ストリップの側面図である。
【図２】図１に示された自律型直線交換機構充電ストリップと２つのコンテナの上面図である。
【図３】本発明による、ＡＬＥ電力交換を行なう位置に車両と共に示された図１の自律型直線交換システムの側面図である。
【図４】図３に示された自律型直線交換機構システムと車両の上面図である。
【図５】本発明による自律型直線交換機構装備車両の側面図である。
【図６】図５の自律型直線交換機構装備車両の上面図である。
【図７】本発明による自律型直線交換機構シリーズ１装備車両の側面図である。
【図８】本発明により示された自律型直線交換機構シリーズ２装備車両の側面図である。
【図９】本発明による、分離型自律型直線交換機構シリーズ２リフト機構と分離型ＡＬＥコンテナの拡大側面図である。
【図１０】図９の線１０−１０に沿って得られた自律型直線交換機構シリーズ２リフト機構及びコンテナの拡大上面図である。
【図１１】本発明による自律型直線交換機構シリーズ２装備車両の詳細な側面図である。
【図１２】図１１の線１２−１２に沿って得られた自律型直線交換機構シリーズ２装備車両の詳細な上面図である。
【図１３】本発明による自律型直線交換機構コンテナの側面図である。
【図１４】図１３の線１４−１４に沿って得られた自律型直線交換機構コンテナの上面図である。
【図１５】本発明によって表されたオイル冷却器を備えた自律型直線交換機構コンテナの側面図である。
【図１６】本発明による、図１５から拡大された自律型直線交換機構オイル冷却器及び分離コアの側面図である。
【図１６ａ】図１５から拡大された単一オイル冷却器及び分離型コアの拡大図である。
【図１７】図１６に示された自律型直線交換機構オイル冷却器及び分離コアの上面図である。
【図１７ａ】図１７に示された単一オイル冷却器及び分離コアの拡大図である。
【図１８】本発明による自律型直線交換機構コンテナの拡張側面図である。
【図１９】図１８の線１９−１９に沿って得られた自律型直線交換機構コンテナの上面図である。
【図２０】本発明による、交換プロセス中の一連の側面図として、本ＡＬＥシステムの自律型直線交換機構車両の電力交換ステップを示すパネルＡ〜Ｆを含む図である。
【図２１】本発明による自律型直線交換機構ロック機構の詳細な側面破断図である。
【図２２】図２１に示された開位置のロック機構を表す自律型直線交換機構装備車両の前方端の側面破断図である。
【図２３】図２１に示された閉位置のロック機構を表す自律型直線交換機構装備車両の前方端の側面破断図である。
【図２４】本発明によるＡＬＥ充電ストリップ上に一時停止された自律型直線交換機構トレイ型装備車両の側面図である。
【図２５】ＡＬＥ充電ストリップによる電源交換を行なう図１２に示された自律型直線交換機構トレイ型装備車両の側面図である。
【図２６】本発明による、車道の脇に沿った多数のＡＬＥ装備車両にサービス提供する自律型直線交換機構プラザの斜視図である。
【発明を実施するための形態】
【００２１】
以下の詳細な説明は、この方法及びシステムのよりよい理解を提供する。
【００２２】
次に図面及び詳細には図１〜図４を参照すると、１つの例示的形態では、システム１０などのこの技術の自律型直線交換機構（ＡＬＥ）は、満充電電力セルを有するコンテナ１７（例えば、図２〜図４のコンテナ１７ｂ及び１７ｃ）を、電気自動車３０などの適切に構成された車両の消耗コンテナ（即ち、電力セルが消耗した車両３０のコンテナ１７ａ。図３と図４）と交換するために使用されうる。車両３０などの適合車両は、ＡＬＥと、したがって以下で充電ストリップ１２と呼ばれる据付型機器の使用を可能にする独特な属性（例えば、以下の考察を参照）を有する。充電ストリップ１２は、一列に配置された一連の薄型充電端子１４を連結し通電する薄型平坦電力コード１３と、前述のシステムによって使用されるコンピュータ、通信装置、電力網接続及び補助端子を含む薄型モジュール１５とを有する。充電ストリップ１２は、その長さを可能にするモジュール式であり、それにより、補助端子をベース端子に対して追加又は除去することによってコンテナ１７の配置（充電済み電力セルと消耗電力セルの両方と一緒に）の容量を容易に増減できる。
【００２３】
ベース端子１８は、充電ストリップ１２の一番最初にあるコンピュータ／通信／電力接続モジュール１５によって補助端子と区別される。各モジュール式端子は、取り付けられた電気コードを収容する必要な長さの「ストリップ」を有し、ストリップ部分の端をストリップ上の最終端子に単純に差し込むことによって隣の端子に接続されうる。ベース端子又は部分は、端子１８と反対側のストリップの端が、通信及び電力接続モジュール１５によって占有されるのでこの能力を有していない。ベース端子は、通信モジュール１５、必要な長さのストリップ、及びストリップの第１の充電端子１８を含む。補助端子は、必要な長さのストリップと充電端子１４だけを含む。初期ベース端子部分は、モジュールによってグリッド電源に接続されて、追加された端子列全体に通電する。
【００２４】
この構成の１つの重要なことは、コンテナ１７がその電力セルと共に、平坦電力コード１３の真上に適切な充電端子１４と接して配置され、次に完全に乗り入れられ、車両３０の左側タイヤと右側タイヤによって跨がれうることである。多くの場合、傾斜路又は凹状舗装道路は、区分１６に沿って十分な隙間を提供することが必要になる。ＡＬＥシステム１０が直線的であり、一列のコンテナ１７（図２〜図４のコンテナ１７ｂ〜１７ｃ）の端と端を合わせるように端子が離間されているので、車両３０は、充電ストリップ１２と一列のコンテナ１７（例えば、コンテナ１７ｂ，１７ｃ）の上に乗り入れることができ、コンテナ１７を交換し構成するための高価な据付型ロボットオートメーションが不要になる。これは、図２６に関する以下の検討で明らかになる。
【００２５】
基本的な理解は、ＡＬＥ装備車両３０自体が、幾つかの既知の技術が実施できる高価で複雑な据付型機器に置き換わることである。車両３０は、消耗電力セルを有するそのコンテナ１７（例えば、コンテナ１７ａ）を、消耗電力セルを充電又は補給するために充電ストリップ１２の空端子上に配置できる。次に、車両３０は、充電ストリップ１２上に配置された充電済み電力セルを有する一列のコンテナ１７を跨ぎながら、補助電力セル３１ａ，３１ｂを使用して前進できる。最後に、車両３０は、充電済み電力セルを有するコンテナ１７（例えば、コンテナ１７ｂ）を取り込む。充電ストリップ１２は、また、コンテナ１７から情報を収集し、自律制御下で車両３０を導き、コンテナ１７交換を実行するために使用する短距離無線通信システム、ガイドマーク及びＣＰＵ１５を含む。
【００２６】
搭載機構、自律型構成要素及びＡＰＥｘ
前述のようなＡＬＥと適合するために、車両３０などの車両は、主電源が駆動システムから切断され車両から取り外されたときに、駆動システムに電気的に接続された搭載補助電源を使用して移動しロボット機能を実行できなければならない。この能力は、以下では、補助給電交換機構（Auxiliary Powered Exchange）又はＡＰＥｘとして知られる。
【００２７】
この補助電源３１ａ，３１ｂは、主電源（即ち、車両のコンテナ１７）が切断された後はストリップに沿って移動するのに必要なエネルギーが最小になるので、大きくかさばる必要はない。持ち上げるのに大量のエネルギーを必要とする大きいコンテナは、搭載機構のブームとの係合時にピックポイントで電気接触することによって、コンテナ自体内のエネルギーを使用する。補助電源を充電する標準的な方法は（車両から出さない）、回生制動によって生成されるエネルギーによる。この方法を使用すると、主電源からのエネルギーが浪費されず、代わりに通常使用中に車両のブレーキが適用されるたびに補助電源が充電される。
【００２８】
車両３０は、また、適合性のある自律制御機器と、充電ストリップから情報を無線及び光学合図によって受け取り処理できるコンピュータ（プロセッサを備える）とを装備しなければならない。そのような指示に応じて、コンピュータプロセッサを備えた車両のコンピュータ内に記憶されたＡＬＥロジックが、自律制御機器及び車両のモータコントローラを活動化させて車両を充電ストリップに沿って前進又は後退させ、充電ストリップのロジックからの指示に従って適切な充電端子の上に一時停止し、車両を線形充電ストリップの上のちょうど中心に維持するように操縦する。そのような通信及び自律機能に加えて、車両３０は、更に、主バッテリバンクを車両シャシからロック及びロック解除でき、かつバッテリバンクを充電ストリップに沿った指示位置に降下又は上昇できるロックシステム及びリフトを装備しなければならない。
【００２９】
次に図５〜図８を参照すると、この技術の制限として理解するものではないが、ＡＬＥ設計にとって最良の実施は、ホイールベース内のできるだけ低い箇所に位置された平坦な長方形バッテリバンク又は燃料電池コンテナであることが決定された（例えば、図５と図６を参照）。そのような構成は、ＡＬＥ交換を行なうために最良に位置決めされた最小侵食性コンテナ１７及びリフト３２を可能にする。「シリーズ２」と呼ばれる一実施形態により、図４、図５、図６及び図８にコンテナ１７及びリフト３２が示される。比較のために、図７に「シリーズ１」が示される。
【００３０】
図５、図６及び図８に示されたユニットはシリーズ２であり、シリーズ１（図７）と多くの類似特徴を有する。シリーズ１及び２の実施形態の違いは、シリーズ１の車両４０が、シリンダ（電気、空気、油圧又は他）動作のために幾何学的に改良されており（図７）、一方、シリーズ２の車両３０が、動作のために埋込み式電気モータ及び遊星歯車減速を使用していることである（図８）。
【００３１】
シリーズ２がシリーズ１よりも優れる１つの利点又は長所は、リフト及びコンテナから自動車設計への侵食の減少である。その結果、シリーズ２は、あまり侵食的でない点で望ましい。自動車メーカによるＡＬＥ搭載ユニットの採用は、改善を必要とし、したがって、ユニットを薄型で、軽量で、その基本形状（即ち、平坦な長方形）に忠実にすることが好ましい。シリーズ１（図７）は、機能的に素晴らしいが、基本形状の上と下にそれぞれ延在するシリンダ４１、ブームベース４２、旋回点４３及び４４を含める必要がある。シリーズ２は、そのような工学的要求をなくす。
【００３２】
シリーズ２リフト機構の説明
シリーズ２（図９と図１０）は、シリーズ１と同様に、コンテナ１７の前方又は後方にあるベース板５０とトルク管５１と、トルク管５１の中心からバッテリバンクの中央近くの点まで垂直に延在する作動ブーム５２と、作動ブーム５２の遠位端にありコンテナ１７の上部５４のスロットに入りコンテナ１７のピックポイント５５と係合するように設計された「Ｔ型ヘッド」５３とを利用する。シリーズ２（車両３０）のシリーズ１（車両４０）との違いは、シリーズ２が、シリンダを備えておらず、トルク管５１内に埋め込まれたモータ５６と遊星歯車減速セット５７によって作動されることである。
【００３３】
最終歯車減速は、リング及びピニオンオフセット減速５８であり、これにより、旋回軸及び駆動結合を、モータ及び遊星パワートレイン５９の直列ピニオンよりも低くできる。ブームベース用のこの低い旋回軸は、シャシからの適切なコンテナ放出には優れていると判断された。この設計は、全体として、リフトとコンテナの上と下の望ましくない空間侵食を有効になくし、基本的な平坦長方形の中核工学的目標を達成するフラッシュデザインを提供する。シリーズ１及び２は両方とも、以下の全ての他の設計態様を共有する。
【００３４】
次に図１１と図１２を参照すると、非侵食的平坦長方形リフト及びコンテナの必要性以上に、ユニット及びプロセスの機能に必要な多くのサテライト構成要素を平坦長方形内に維持することも重要である。そのような構成要素は、このシステムの範囲の限定と見なされるべきでなく、２つのカメラ６０，６１、４つのロック６２ａ，６２ｂ，６２ｃ，６２ｄ、２つの距離計６３，６４、及びロードセル６５を含む。カメラ６０，６１は、コンテナ１７の前方と後方にそれぞれ配置され、車両３０と搭載リフト機構に沿って中心に配置される。それらのカメラは、充電ストリップ１２（図１）に沿って表示された色及び形状データを読み取るために下向きに取り付けられる。
【００３５】
カメラ６０，６１は、充電ストリップ１２と係合時に開き離脱時に閉じるシャッタによって保護される。４つのロック６２ａ，６２ｂ，６２ｃ，６２ｄは、ユニットの前方６２ａと後方６２ｂ、及びユニットの左側６２ｃと右側６２ｄに配置される。これらのロックは、車両３０が空端子（充電ストリップ１２）の上に位置決めされた後で外れ、充電済み電力セルを有するコンテナ１７がシャシ内で持ち上げられ収容されたときに係合する。ロードセル６５は、リフト６６のブームヘッドに組み込まれ、圧力検出フィードバックを搭載制御システムに送るために使用される。これにより、システム１０は、ピックポイントによってブームに接続されたときにコンテナ１７を検出でき、またコンテナ１７又はブームが充電ストリップ１２まで下がったときに着地を検出できる。２つの距離計６３が、ユニットの左側と右側に位置決めされ、搭載制御システムに水準測量フィードバックを提供するために使用される。充電ストリップ１２と無線結合したときに車両３０が交換の準備をするために、制御可能な衝撃又は追加の懸架レベリング機器を使用する必要がある。ここに詳細に示されていない他の必要機器には、自動ステアリング及び制動ハードウェアと、ＡＬＥロジックが記憶され実行される搭載コンピュータ又はＣＡＮバスが挙げられる。有利には、車両のモータコントローラ（電気自動車）又はスロットル及びギアシフト制御機構（燃料自動車）は、充電ストリップに沿った車両の前進と後退を提供するために、ＡＬＥユニットのロジックに電子的にアクセス可能である。
【００３６】
ＡＬＥモジュール式電源コンテナの説明
（バッテリパック、バンク又は燃料電池）
次に図１３と図１４を参照すると、ＡＬＥコンテナ１７は、非ＡＬＥコンテナと異なる幾つかの重要な副構成要素からなり、薄型で軽量になるように、またできるだけ基本的な平坦長方形に近づくように設計される。ほとんどの用途では、ステアリングホイールのための十分なクリアランスを可能にするために、平坦長方形形状の角部の面取り７０が必要になる。構造的「背骨」７１のまわりに、スロット７２及びピックポイント７３とサドル７４用の取り付けポイントを提供すると共に、上昇及び降下プロセス中に長手方向の剛性を提供するチャネルからなる構造が設計される。背骨７１は、また、長いパックを通し、ブームの基部にある前方ロック、ピックポイント及び後方ロック領域に配置された３つの個別端子に通電する電気バス７５の通過と保護を提供する。これにより、自動車メーカは、駆動電力並びに追加の充電オプションのためにコンテナの前方、中心又は後方を利用できる。電気バスは、また、以下の開示でより詳細に検討されるように、コンテナ全体にわたってセンサからデータを収集し、そのデータをＡＬＥデータシステムに提供するデータ収集及び記憶モジュール７６を含む。
【００３７】
次に図１５、図１６及び図１７を参照すると、背骨７１は、また、コンテナ１７用のオイル冷却器８０を収容する。オイル冷却器領域は、通常、コンテナ１７のスロット、サドル及びピック領域の反対側の中心に位置決めされるが、コンテナ１７内の任意の場所に配置されうる。冷却器８０は、コンテナ１７自体と同様に、幾つかのコア８０ａからなるモジュールである。各コア８０は、サイズ適合ファン８３に取り付けられた小さい耐石油ラジエータ８１とマイクロポンプ８２（８２ａ〜８２ｆ）からなる（図１７）。図１６ａと図１７ａは、コア８０が実際にはコア８０ａ〜８０ｆからなり、したがってコアのモジュールシステムを構成する一連の個別コアからなることをより明瞭に強調するために個別コア８０を示す。
【００３８】
このシステムの１つの形態では、６０ｋｗｈパックで５つの９０ｍｍファン及びラジエータが使用されるが、これは、本明細書で請求されるコンテナ取り付け冷却器の概念の範囲の限定と見なされるべきでない。冷却器サイズは、コンテナ形式の平均使用量に合わせられる。例えば、形式Ａコンテナは、標準６コア冷却器を備え、形式Ａ−ＨＰ（高性能）は、より高出力の駆動システムに対応するために１２個のコア冷却器を備える可能性がある。冷却器のラジエータコアは、通常、コンテナ内に至る背骨チャネル内に配置された入口及び出口内に垂直にされ、石油又は類似の非導電性冷却剤が、解放循環系又は小型インラインポンプを介した閉鎖循環系を使用して流れうる。
【００３９】
次に図１８と図１９を参照すると、横材９１が、背骨７１の両側まで延びて「交差」型内部フレーム枠を作成し、各交差点の端が、コンテナ側ロックポイントの構造支持及び取り付け部になる。ロックポイントは、シャシロック９２と係合するために、コンテナの左側と右側の、前方又はノーズロック９３のためのリフト機構の反対端に配置される。背骨７１と主中央横材９１によって作成される交差は、燃料電池又はバッテリパックのための４つの四半分ゾーン９４ａ〜９４ｄを作成する。また、コンテナ１７フレーム枠は、内向き耳９５を備えた周囲チャネルを有し、この周囲チャネルは、主交差フレームに対する二次構造として働き、またパック内容物を側面衝撃から保護する。コンテナ１７は、軽量の耐水及び耐油材料の蓋９６で上部が覆われ、最初に周囲チャネル９５の耳、中央横材９１及び背骨７１に密封材を塗布し、次に全ての接触点に沿って５ｃｍなどの近い間隔で上皮又は蓋をリベット留め又はねじ留めすることによって油密封止が作成される。また、蓋９６は、上側面に沿ってかつ充電ストリップ１２の中央線と類似のコンテナ１７の中心線に沿って中心に配置されたカラー及び形状マークを露出させ、それにより、充電ストリップの上に横たわるコンテナの上を通過する車両が、視覚的合図によって位置合わせを維持できる。底面又はパン９７は、道路上の危険物による突刺や破損に耐えるために、ステンレス鋼や炭素繊維などのより耐久性の高い材料で作成される。また、油密又は水密封止を作成するために５ｃｍなどの近い間隔で封止されリベット留めされるか、別の方法で留められる。これらは、第１の試作品ＡＬＥバッテリバンクコンテナ１７の詳細であり、この設計の範囲を限定するものと理解されるべきでない。
【００４０】
「オフセンタピック」の説明
シリーズ１の開発前、降下及び上昇プロセス中のバッテリバンク安定化が課題であることが注目された。コンテナ１７は、大きく平坦で重い物体なので、充電ストリップと自動車シャシの間で揺れ、震え、縦揺れし、又は捻れることがあってはならない。この特定の問題に対する解決策を考案するために、多くの他の設計が概念化された。それらの設計のそれぞれにおける問題は、コスト増大、寿命短縮及び耐久性低下としても理解されうる厄介な問題が増えることであった。
【００４１】
次にパネルＡ〜Ｆを含む図２０を参照すると、オフセンタピック構成は、シリーズ２の実施形態、シリーズ１の実施形態、又は他のそのように単純化された自由旋回ピックポイント５５のコンテナ１７への接続の実現を可能にし、したがって、前述の幾何学的に安定化されたブームヘッドが不要になる。コンテナ１７を上昇及び降下させる前述のきわめて単純な方法は、コンテナ１７上のピックポイントが、縦軸に沿った位置１０１で識別されたときに重心と僅かにずれているだけでよい。その結果、２段階の上昇及び降下プロセスとなり、バンク又はセルが、車両シャシ、充電ストリップ１２又はその両方と常に接している。これは、常に最小３つの接点を提供し、２つの接点は、コンテナ１７の端の左側と右側であり、３つ目はピックポイント５５自体である。
【００４２】
図２０のパネルＡ〜Ｆは、オフセンタピックプロセスにおける車両３０の電力交換プロセスに沿った一連の段階的な図である。パネルＡで、最初のステップにおいて、車両３０は、ロックが閉じられた状態の乗車位置でコンテナ１７とリフトを有する。パネルＢで、充電ストリップ１２上の指定された空端子において、車両３０は、正確な位置で停止し、ロックが外れ、搭載リフト機構が、コンテナの重量の１００％を支える。コンテナ１７上のピックポイントが、リフト側に偏心しており、ピックポイント５５において動揺でき、また動揺作用の停止が、その基部近くでリフトのブーム５２と接触するサドル台７４によって達成されるので、このとき、コンテナ１７は、ブームにより固定され、全ての力が、トルク管によって処理され、ベース板を介して車両に分散される。
【００４３】
次にパネルＣを参照すると、コンテナ１７を配置するためにブームが充電ストリップ１２の方に作動された後、コンテナのリフト側が僅かに移動し、同時に反対側の自由端（ブームピボットポイントの遠位端）が、充電ストリップ端子１４と接触するまで下がる。次に、パネルＤに示されたように、コンテナ１７が端子と接触した後で、重い方の遠位端が支持され、コンテナの近位端は、充電ストリップ１２の方に下がり続けるときにブームから離れるように回転する。
【００４４】
次にパネルＥを参照すると、近位端が遠位端と共に停止した後で、コンテナの重量が、充電ストリップによって完全に支持され、ブームが下がり続けるときにブームのＴ型ヘッドがピックポイントから自由になる。
【００４５】
最後に、パネルＦに示されたように、ブームが着地を検出した後で、車両３０は、僅かに前方又は後方に移動するよう指示されて、Ｔ型ヘッドがスロットのどちらかの側のピックポイントを越え次いでブームが乗車位置へ上がり、充電ストリップ１２上にコンテナを残す。次に、車両３０は、補助電力下で充電又は補給済みコンテナを越えた適切な位置に移動し、前述のプロセスと逆にコンテナを取得して適所でロックし、次に充電ストリップから出る。
【００４６】
コンテナ１７の両端並びにピックポイントは、接触点を含み、この両端は、充電ストリップ上の適切な位置に横たわるときに充電端子に電気的に接続される。ピックポイントでの接触は、小さい補助電源が利用可能で更に主バンク（コンテナ）がきわめて重いときに利用される。この場合、ブームヘッドは、コンテナの電気バスと電気接触し、補助電源に依存する代わりに持ち上げているコンテナだけから電力を引き出すことができる。この設計は、完全に安定しかつ信頼でき、実証及び研究シャシ内で既に構成され試験で成功している。
【００４７】
ノーズロック及びプラグイン充電オプションの説明
次に図２１〜図２４を参照すると、リフト機構３２の反対側に、コンテナ１７のノーズロック６２ａと呼ばれる主ロックがある。ノーズロック６２ａは、少数の重要な機能を実行する。ノーズロック６２ａは、コンテナ１７をロックするだけでなく、コンテナ１７をすくい上げ適所１１４で加圧する強力な顎型ロック動作を提供し、シャシ内への確実な設置を保証する。また、ノーズロック６２ａは、冷却器コア領域内への冷却空気の導入を提供すると同時に水分と道路砂をロック内の電気接続から分離する空気口１１５と、最も重要なことには、充電ストリップ１２上に見られるものと類似の二重充電端子プラグとを有する。この充電端子プラグは、ノーズロック６２ａが取り付けられたときにコンテナ１７上の端子タブ１１７の上に押し上げられ、タブ１１７を腐食から保護し、車両の駆動システムへの駆動電力の電気接点を提供し、また車両３０上の標準化充電プラグ１１８に接続される。これは、ユーザが、ＡＬＥ装備車両を、追加オプションとしてステージ１、２又は３の充電器に差し込むことを可能にする。実際に、ノーズロックシステムが車両のプラグイン使用を無期限に可能にするので、必要ない場合はバッテリコンテナを交換しなくてもよい。この内蔵オプションは、ＡＬＥを組み込むことを選択する自動車メーカのさらなる柔軟性を可能にする。
【００４８】
その他の請求リフト構成
シリーズ１とシリーズ２について述べ、製造及び販売の現在望ましい選択肢を考察してきたが、この開示に従って多くの他のリフト構成及び修正が可能であることを理解することはきわめて容易である。これは、以下の注目に値する設計を含む。第１に、自動車シャシ及びバッテリバンク又は燃料電池に沿って長手方向に延在する電動アクメねじによって駆動されるシザーリフト。このリフトは、パックの中心に嵌まって、アクメ駆動シザーリフトを使用してシャシ内の適所に引き込まれるヘッドを有する。第２に、各円材とベースとヘッドの交点に旋回軸を有するツイン円材構造を有する関節式電気スタンドと全く同様に構成された平行四辺形ブーム。これによりブームのヘッドがシャシに対して常に平行に維持される。このユニットのヘッドは、アクメシザーリフトと同様に、設計の幾何学形状によって縦揺れ、振動又は捻れから制御される。第３に、コンテナ１７のストリップ側全体にわたるトレイ１２１が、コンテナ１７の交換側でロック解除され、コンテナ１７の反対側で旋回し１２３、トレイの前方点と後方点の間の任意の点でラム１２４によって下降されるトレイシステム（図２４と図２５を参照）。
【００４９】
この設計は、コンテナ１７の保護能力が高く、オフロード又は過酷使用の車両に必要なことがある。第４に、既存のリフトに対する磁気ロックシステムが考案され、本明細書で請求される。この場合、ブームが降下し、ブームヘッド自体、バッテリバンク又は燃料電池ピックポイントに配置された電磁石を利用してバッテリ内にロックされる。磁石は、全ての設計において、中心決めと位置合わせ、及びあらゆる種類の一時的操作のために使用されうる。
【００５０】
充電及び補給プラザの説明
次に図２６を参照すると、１つの有利な形態で、補給プラザ１３０は、コンクリート駐車場又は高速道路安全休憩所などの平坦面上に複数の充電ストリップ（例えば、１２ａ〜１２２）が平行（幾何学的）に位置決めされた最も単純な形態で構成されうる。この場合、消耗電源を有する車両（例えば、３０ａ〜３０ｄ）をプラザ１３２の片側に送り込み、車両を電力セルを有する適切なコンテナを収容する適切な充電ストリップ（例えば、１２６）に導き、次に交換が実行され出口１３５から出た後で充電ストリップ１２６の反対側１３３に車両を導く自律ルーティンが作成されうる。このプロセスは、また、手動操作車両と適合し、この場合、車両は、オペレータによって車両用の電力セルを有する適正なコンテナを収容する適切なストリップまで運転され、係合領域１３７でシステムによって係合されうる。充電ストリップ（１２ａ〜１２ｄ）は、地域の車両電力要求に適合するように構成されうる。サイズ固有の充電ストリップが、異なる電力セルを有する様々なサイズのコンテナ１７（例えば、コンテナ１７ｄ及び１７ｇ）にサービス提供できるが、どの充電ストリップも様々なサイズのコンテナにサービス提供できないことがある。
【００５１】
このシステムの機能に重要なことは、各ストリップが複数の一固有形式の電源を含むことである。車両／電源の間違った組み合わせの回避は、最初の係合時の無線通信によって対応される。このシステムを使用することにより、１分当たりにサービス提供できる車両の量は、特定タイプの電源の充電又は補給時間をプラザ内の電源の数で割ることによって決定されうる。例えば、電気自動車が、満充電に１時間を必要とする電力セルを有するコンテナを備え、ストリップ上に１０個のバンクがある場合、１時間／１０バンク＝６分当たり１台の車両がサービス提供される。高い頻度の交換を必要とする領域では、多数の平行ストリップ又は長いストリップは、電源準備の速さを劇的に高めることができる。
【００５２】
ＡＬＥコンテナデータ収集システムの説明
ＡＬＥコンテナは全て、温度、出力、充電インジケータ及び多数の他のメタデータ関連入力を記録し報告するために多数の検出技術を利用する。また、ユニットは全て、タイムラインに沿ってそのセンサからのデータを記憶するための処理チップ、クロック及びメモリカードを備える。これは、パックの使用、その現状と充電、並びに起こりうる問題に関する詳細な履歴を提供する。次に、このデータは、車両が接続自動車ネットワークを装備している場合にそのネットワークを介して車両からパルス化されるか、非接続自動車の場合は、コンテナが充電ストリップに沿った端子に接続された後でデータが収集システムのサーバにアップロードされる。次に、データは、システムインタフェース又はＡＰＩに記憶、解析、及び発射される。全てのユーザ及び自動車メーカがアクセスして世界中のコンテナネットワーク上の実時間データを引き出すことができる。次に、このデータをスマートフォン、ＰＣ又は車両情報娯楽システム内のアプリケーションが使用して、どのコンテナと係合すべきかを決定できる。多数の車両を使用している運輸会社が、このデータを更に綿密に使用することによって、移動距離全体に電力をより合理的に消費するために、乗員が遠くに移動しない１つの車両から乗員が遠くに移動する車両にコンテナを「ハンドオフ」できる。また、そのようなネットワークを、ＡＬＥデータ収集システムによって提供される実時間データと一緒に使用することによって、ＡＬＥ装備車両を使用する緊急サービスが、充電済みバンクに優先的にアクセスできる。
【００５３】
必須電源を備えた電気自動車について述べたが、燃料電池を使用する車両を含む他の電動車両にこの技術を応用して使用できる。
【００５４】
ＡＬＥシステムは、全く新規であり、ＥＶ技術はいうまでもなく自動車産業におけるいかなる他の技術とも異なる。ＥＶ販売は、航続距離と利便性の消極的市場認識によって制限されるが、業界は、まだ対応できないシステムを考え出す。特定のＥＶの独自開発の急速交換システムや現在閉鎖会社Ｂｅｔｔｅｒ  Ｐｌａｃｅなどの既存の技術は、経済学的側面に沿って発明できなかった。更に、１日当たり３台のＥＶにサービス提供するために地下ロボットに約５０万ドル投資を支援する事業計画はない。互換性があり自律的な補助電力交換車両と協力するＡＬＥ技術は、構成するのに非侵食的で、実質的に任意の地主又は管理者にとって財務的に取り組みやすい過渡的解決策を提供することによって、この難局を解決する。
【００５５】
更に、この方法及びシステムは、車両自体をプロセスの主機械化として使用することによって実現される既知の技術を上回る独特の利点を有し、それにより、コストが大幅に低減される。このＡＬＥ方法及びシステムは、実質的に任意の資産に適合されうるので、様々な構成を有する一般事業主によって実現されうる。市場からの航続距離及び利便性の論点を打ち破るので、ＥＶ産業の漸進的成長を可能にし、また土地に急速交換機構を提供することに興味を持つ人にとって収益性の高い投資になる。最初に、低投資で単純で多数の急速交換場所が必要になる。電気自動車の次のステップは、接続自動車ネットワークによる急速交換の大量消費を迅速かつシームレスに整合できる情報技術との結合である。
【００５６】
当業者は、この開示内容の教示から逸脱することなく追加の実施形態が可能であることを理解するであろう。この詳細な説明及び特に本明細書に開示された例示的実施形態の特定の詳細は、主に理解を明確にするために示され、不必要な限定と理解されるべきでなく、修正は、この開示を読むことで当業者に明らかになり、またこの開示内容の趣旨及び範囲から逸脱せずに行われうる。
【符号の説明】
【００５７】
１０  ＡＬＥシステム
１２  充電ストリップ
１３  電力コード
１４  充電端子
１５  薄型モジュール
１７  コンテナ
１８  ベース端子
３０  車両
３１  補助電源
【図１】
2018524235.tif 000003
【図２】
2018524235.tif 000004
【図３】
2018524235.tif 000005
【図４】
2018524235.tif 000006
【図５】
2018524235.tif 000007
【図６】
2018524235.tif 000008
【図７】
2018524235.tif 000009
【図８】
2018524235.tif 000010
【図９】
2018524235.tif 000011
【図１０】
2018524235.tif 000012
【図１１】
2018524235.tif 000013
【図１２】
2018524235.tif 000014
【図１３】
2018524235.tif 000015
【図１４】
2018524235.tif 000016
【図１５】
2018524235.tif 000017
【図１６】
2018524235.tif 000018
【図１６ａ】
2018524235.tif 000019
【図１７】
2018524235.tif 000020
【図１７ａ】
2018524235.tif 000021
【図１８】
2018524235.tif 000022
【図１９】
2018524235.tif 000023
【図２０】
2018524235.tif 000024
【図２１】
2018524235.tif 000025
【図２２】
2018524235.tif 000026
【図２３】
2018524235.tif 000027
【図２４】
2018524235.tif 000028
【図２５】
2018524235.tif 000029
【図２６】
2018524235.tif 000030
【国際調査報告】
2018524235.tif 000031
2018524235.tif 000032
2018524235.tif 000033